(57)【要約】【課題】タッチスクリーンへのタッチ入力を検出して異なる形態のタッチ入力を区別する入力感知方法及びその方法を処理する電子装置を提供する。【解決手段】本発明の入力感知のための電子装置は、第１センサを含むタッチスクリーンと、第２センサと、第２センサによって感知された入力特性を基にタッチスクリーンに対する入力形態を判断するように構成された制御部と、を備える。【選択図】図３
2014016989.tif 000002
【特許請求の範囲】
【請求項１】
電子装置で入力を検出するための方法であって、
タッチスクリーンに対する入力を検出するステップと、
前記検出された入力に対する入力特性を基に入力形態を判断するステップと、を有することを特徴とする入力感知方法。
【請求項２】
前記入力形態は、入力に対する物理的特性を基に判断されることを特徴とする請求項１に記載の入力感知方法。
【請求項３】
前記タッチスクリーンへの入力を検出するステップは、該入力が感知された前記タッチスクリーン上の位置を判断するステップを含むことを特徴とする請求項１に記載の入力感知方法。
【請求項４】
前記検出された入力に対する入力特性を基に入力形態を判断するステップは、検出された入力に対して異なる形態の入力を区分するステップを含み、
前記異なる形態の入力は、少なくとも第１入力及び第２入力を含むことを特徴とする請求項１に記載の入力感知方法。
【請求項５】
前記検出された入力に対する入力特性は、前記タッチスクリーンに対する入力によって発生する音の特性を含むことを特徴とする請求項１に記載の入力感知方法。
【請求項６】
前記検出された入力に対する入力特性は、前記タッチスクリーンの周りに配置された複数の音響センサによって感知されることを特徴とする請求項５に記載の入力感知方法。
【請求項７】
前記第１入力が判断された場合に前記第１入力に対応する第１機能を行うステップと、
前記第２入力が判断された場合に前記第２入力に対応する第２機能を行うステップと、を含むことを特徴とする請求項４に記載の入力感知方法。
【請求項８】
前記第１機能は、入力が感知された位置に関連する機能に対応することを特徴とする請求項７に記載の入力感知方法。
【請求項９】
前記第２機能は、入力が感知された位置に関連のない機能に対応することを特徴とする請求項７に記載の入力感知方法。
【請求項１０】
前記第１機能及び第２機能のうちの少なくとも１つの機能は、ユーザの入力に応じて定義されることを特徴とする請求項７に記載の入力感知方法。
【請求項１１】
入力感知のための電子装置であって、
第１センサを含むタッチスクリーンと、
第２センサと、
前記第２センサによって感知された入力特性を基に前記タッチスクリーンに対する入力形態を判断するように構成された制御部と、を備えることを特徴とする電子装置。
【請求項１２】
前記制御部は、前記第２センサによって検出された入力の物理的特性を基に前記入力形態を判断することを特徴とする請求項１１に記載の電子装置。
【請求項１３】
前記制御部は、前記第１センサから受信したデータを基に、入力が発生した前記タッチスクリーン上の位置を判断することを特徴とする請求項１１に記載の電子装置。
【請求項１４】
前記制御部は、入力特性を用いて該入力がハードタッチであるかソフトタッチであるかを判断することを特徴とする請求項１１に記載の電子装置。
【請求項１５】
前記制御部は、前記タッチスクリーンへの入力によって生成された音の特性、振動特性、入力面積特性のうちの少なくともいずれか１つの入力特性を用いて、該入力がハードタッチであるかソフトタッチであるかを判断することを特徴とする請求項１４に記載の電子装置。
【請求項１６】
前記第２センサは、前記タッチスクリーンの周りに位置して入力によって生成された入力特性を検出することを特徴とする請求項１５に記載の電子装置。
【請求項１７】
入力がソフトタッチの場合に前記制御部は第１機能を行い、
入力がハードタッチの場合に前記制御部は第２機能を行うことを特徴とする請求項１４に記載の電子装置。
【請求項１８】
前記第１機能は、入力が感知された位置に関連付けられた機能に該当することを特徴とする請求項１７に記載の電子装置。
【請求項１９】
前記第２機能は、高機能に関連付けられた機能に該当することを特徴とする請求項１７に記載の電子装置。
【請求項２０】
前記高機能は、前記電子装置のロック解除を制御する機能及びメニュー表示機能のうちの少なくともいずれか１つを含むことを特徴とする請求項１９に記載の電子装置。
【請求項２１】
前記制御部は、ユーザの入力に応じて前記第１機能及び前記第２機能のうちの少なくとも１つを定義することを特徴とする請求項１９に記載の電子装置。
【発明の詳細な説明】
【技術分野】
【０００１】
本発明は、電子装置の入力感知方法及びそのための装置に関し、より詳細には、タッチスクリーンに対する入力を感知し、感知された入力に対する入力形態を区分するための入力感知方法及びその方法を処理する電子装置に関する。
【背景技術】
【０００２】
電子装置は、ユーザの間に無線通信を提供するために開発されたものであって、技術の発展に伴い、単なる電話通話機能の他に多くの付加機能を提供している。
【０００３】
例えば、電子装置は、アラーム、ショットメッセージサービス（ＳＭＳ）、マルチメディアメッセージサービス（ＭＭＳ）、電子メール、ゲーム、近距離無線通信を利用した遠隔制御、内蔵デジタルカメラを利用した画像取得機能、オーディオ及びビデオコンテンツを提供するマルチメディア機能、スケジューリング機能及びそれ以外の多くの付加機能を提供する。このような付加機能を提供することによって、電子装置は日常生活の必需品となった。
【０００４】
一般に、電子装置はユーザの入力（タッチ入力）又は移動（タッチ移動）を可能にする入力手段を含む。例えば、電子装置はタッチスクリーンで構成されたディスプレイ部を含み、ユーザはディスプレイ部を介して入力を発生させることができる。
【０００５】
一般に、タッチスクリーンはユーザの入力を感知する方法によって様々な種類に区分される。例えば、タッチスクリーンの入力感知技術は、抵抗性感知技術（ｒｅｓｉｓｔｉｖｅ  ｓｅｎｓｉｎｇ  ｔｅｃｈｎｏｌｏｇｙ）、容量性感知技術（ｃａｐａｃｉｔｉｖｅ  ｓｅｎｓｉｎｇ  ｔｅｃｈｎｏｌｏｇｙ）、表面弾性波感知技術（ｓｕｒｆａｃｅ  ａｃｏｕｓｔｉｃ  ｗａｖｅ  ｓｅｎｓｉｎｇ  ｔｅｃｈｎｏｌｏｇｙ）、赤外線感知技術（ｉｎｆｒａｒｅｄ  ｓｅｎｓｉｎｇ  ｔｅｃｈｎｏｌｏｇｙ）、光学画像感知技術（ｏｐｔｉｃａｌ  ｉｍａｇｉｎｇ  ｓｅｎｓｉｎｇ  ｔｅｃｈｎｏｌｏｇｙ）、音響パルス認識感知技術（ａｃｏｕｓｔｉｃ  ｐｕｌｓｅ  ｒｅｃｏｇｎｉｔｉｏｎ  ｓｅｎｓｉｎｇ  ｔｅｃｈｎｏｌｏｇｙ）、超音波感知技術（ｕｌｔｒａｓｏｎｉｃ  ｓｅｎｓｉｎｇ  ｔｅｃｈｎｏｌｏｇｙ）などである。
【０００６】
タッチスクリーンはタッチスクリーンに構成されるレイヤ又はタッチスクリーンの周りに複数のセンサを含む。タッチスクリーンに含まれるセンサはｘ軸及びｙ軸座標に沿ってタッチスクリーン上のグリッドを生成して入力をモニタリングする。例えば、ユーザがタッチスクリーン上でタッチすると、センサはタッチ入力に対するｘ軸及びｙ座標を決定し、電子装置はｘ軸及びｙ座標をユーザが意図する入力を決定するために使用する。
【０００７】
例えば、音響パルス認識感知技術が適用されたタッチスクリーンを使用する電子装置は、タッチスクリーンの縁部に複数の音響センサ（ａｃｏｕｓｔｉｃ  ｓｅｎｓｏｒ）又はトランスデューサ（ｔｒａｎｓｄｕｃｅｒ）を備え、音響センサはユーザがタッチスクリーン画面でタッチ入力する時に発生する音を基にユーザの入力を感知する。
【０００８】
電子装置は、ユーザがタッチスクリーンでタッチ入力する時に発生した音を基に、音が発生した位置（例えば、ユーザがタッチスクリーンをタッチした位置）を三角測量してユーザによって入力された位置（タッチ入力位置）を判断する。
【０００９】
また、電子装置は、タッチスクリーンの各位置に生成される音の特性を定義したテーブル（例えば、ルックアップテーブル（ＬＵＴ））を格納し、複数のセンサによって受信された情報（センシングデータ）を定義されたテーブルと比較する。
【００１０】
一般に、ユーザの入力が感知された位置に関連する機能を処理するためにタッチスクリーンに対するユーザの入力を感知する。即ち、電子装置は、タッチスクリーンに対する入力形態（タッチ形態）を区分することなく、単に入力が発生した位置を認識する。
【００１１】
従って、タッチスクリーンへの入力を感知し、タッチスクリーンへの入力形態を判断し、異なる形態を有する入力を区分するための装置及び方法が必要である。
【００１２】
上述した情報は、本発明の理解を助けるための背景情報として提示するのみであり、本発明に対する従来技術として適用され得るか否かについてはいかなる判定もなされておらず、いかなる主張もなされていないものである。
【先行技術文献】
【特許文献】
【００１３】
【特許文献１】韓国特許出願公開第１０−２０１０−００９６６１１号明細書
【発明の概要】
【発明が解決しようとする課題】
【００１４】
本発明は、上記従来の問題点に鑑みてなされたものであって、本発明の目的は、タッチスクリーンへの入力（タッチ入力）を感知し、タッチスクリーンへの入力形態を判断し、異なる形態の入力を区別する入力感知方法及びその方法を処理する電子装置を提供することにある。
【課題を解決するための手段】
【００１５】
上記目的を達成するためになされた本発明の一態様による電子装置で入力を検出するための方法は、タッチスクリーンに対する入力を検出するステップと、前記検出された入力に対する入力特性を基に入力形態を判断するステップと、を有する。
【００１６】
前記入力形態は、入力に対する物理的特性を基に判断され得る。
前記タッチスクリーンへの入力を検出するステップは、該入力が感知された前記タッチスクリーン上の位置を判断するステップを含み得る。
前記検出された入力に対する入力特性を基に入力形態を判断するステップは、検出された入力に対して異なる形態の入力を区分するステップを含み、前記異なる形態の入力は、少なくとも第１入力及び第２入力を含み得る。
前記検出された入力に対する入力特性は、前記タッチスクリーンに対する入力によって発生する音の特性を含み得る。
前記検出された入力に対する入力特性は、前記タッチスクリーンの周りに配置された複数の音響センサによって感知され得る。
前記第１入力が判断された場合に前記第１入力に対応する第１機能を行うステップと、前記第２入力が判断された場合に前記第２入力に対応する第２機能を行うステップと、を含み得る。
前記第１機能は、入力が感知された位置に関連する機能に対応し、前記第２機能は、入力が感知された位置に関連のない機能に対応し得る。
前記第１機能及び第２機能のうちの少なくとも１つの機能は、ユーザの入力に応じて定義され得る。
【００１７】
上記目的を達成するためになされた本発明の一態様による入力感知のための電子装置は、第１センサを含むタッチスクリーンと、第２センサと、前記第２センサによって感知された入力特性を基に前記タッチスクリーンに対する入力形態を判断するように構成された制御部と、を備える。
【００１８】
前記制御部は、前記第２センサによって検出された入力の物理的特性を基に前記入力形態を判断し得る。
前記制御部は、前記第１センサから受信したデータを基に、入力が発生した前記タッチスクリーン上の位置を判断し得る。
前記制御部は、入力特性を用いて該入力がハードタッチであるかソフトタッチであるかを判断し得る。
前記制御部は、前記タッチスクリーンへの入力によって生成された音の特性、振動特性、入力面積特性のうちの少なくともいずれか１つの入力特性を用いて、該入力がハードタッチであるかソフトタッチであるかを判断し得る。
前記第２センサは、前記タッチスクリーンの周りに位置して入力によって生成された入力特性を検出し得る。
入力がソフトタッチの場合に前記制御部は第１機能を行い、入力がハードタッチの場合に前記制御部は第２機能を行い得る。
前記第１機能は、入力が感知された位置に関連付けられた機能に該当し得、前記第２機能は、高機能に関連付けられた機能に該当し得る。
前記高機能は、前記電子装置のロック解除を制御する機能及びメニュー表示機能のうちの少なくともいずれか１つを含み得る。
前記制御部は、ユーザの入力に応じて前記第１機能及び前記第２機能のうちの少なくとも１つを定義し得る。
【発明の効果】
【００１９】
本発明の入力感知方法を処理する電子装置によれば、タッチスクリーンに対するタッチに関連付けられた位置座標データを、入力（例えば、タッチイベント）形態に関連付けられたデータと結合することでタッチスクリーン機能を向上させることができる。即ち、ハードタッチ入力とソフトタッチ入力とを判断するか又は区別することで、入力形態によって異なる動作又は機能を関連付けることができる。
【図面の簡単な説明】
【００２０】
【図１】本発明の一実施形態による電子装置で入力を感知する動作を示したフローチャートである。
【図２】本発明の一実施形態によって入力を感知する電子装置の設定動作を示したフローチャートである。
【図３】本発明の一実施形態による電子装置の構成を示したブロック図である。
【発明を実施するための形態】
【００２１】
以下、本発明を実施するための形態の具体例を、図面を参照しながら詳細に説明する。
【００２２】
図面全般に亘り、参照符号などを、同一又は類似の要素、機能及び構造を説明するために使用する。そして、本発明を説明するに当たって、関連する公知機能又は構成に対する具体的な説明が本発明の要旨を不要に不明確にするおそれがあると判断される場合、その詳細な説明は省略する。そして、後述する用語は、本発明における機能に基づいて定義した用語であって、これはユーザ、運用者の意図又は慣例などによって異なることがある。
【００２３】
以下の説明と特許請求の範囲に使用する用語及び単語は、辞典的な意味に限定されるものではなく、単に本発明に対する明確且つ一貫性のある理解のために使用するものである。従って、本発明の様々な実施形態に対する以下の説明は、説明の目的のみのために提供するものであって、特許請求の範囲とその均等物によって定義された開示を制限する目的で提供していないということは当業者にとっては明らかである。
【００２４】
別途明示していない限り、単数形の表現は複数形を含むということを理解すべきである。従って、例えば、「１つの構成要素の表面」に対する言及は１つ以上のそのような表面に対する言及を含み得る。
【００２５】
単語の「実質的に」は、引用する特徴、パラメータ、又は値を正確に達成する必要はないが、例えば、許容値、測定誤差、測定正確度の制限、及び当業者に知られている他の要素を含む偏差又は変移が、本発明の特徴が提供しようとする効果を排除しない量で起こり得るということを意味する。
【００２６】
本発明の様々な実施形態は、タッチスクリーンのタッチ入力を感知し、タッチスクリーンへの入力（タッチ入力）形態を決定し、入力に対する形態を区分する装置及び方法を含む。
【００２７】
本発明の様々な実施形態は、タッチスクリーンの機能を向上させるために入力（例えば、タッチイベント）に対する形態（入力形態）に関連するタッチスクリーンの位置座標データを結合する。機能面においてその分向上するため、ユーザの生産性（ｐｒｏｄｕｃｔｉｖｉｔｙ  ｏｆ  ｔｈｅ  ｕｓｅｒ）が増加し得る。本発明の様々な実施形態によると、電子装置は、同じ位置座標での入力（例えば、タッチイベント）に対する入力形態を判断し（即ち、電子装置は入力形態とその入力に対する位置座標を感知する）、入力（例えば、タッチイベント）に対する入力形態を基に異なる動作（例えば、機能）を行うように構成される。即ち、電子装置は、同じ位置座標で起こる異なる形態の入力に対して異なる動作を関連付ける。例えば、電子装置は、同じ位置に対して第１入力形態と第２入力形態を確認し、各入力形態に対応する動作を行う。
【００２８】
本発明の様々な実施形態によると、電子装置は、入力（例えば、タッチイベント）に対する入力形態を確認するか、又は入力（例えば、タッチイベント）によって生成された音を基に入力形態を区分する。例えば、ユーザは少なくとも２種の方式で入力（例えば、タッチイベント）を生成してタッチスクリーンとインタフェースを処理できる。２種の方式の入力は、入力時に発生する音によって区分される第１タッチ入力と第２タッチ入力である。例えば、ユーザはユーザの指の腹部分の皮膚を使用してタッチスクリーンと接触することによって第１タッチ入力を生成できる。第１タッチ入力は、タッチ入力時に小さな音を発生させる入力であって、ソフトタッチと定義する。即ち、ユーザが指の腹部分の皮膚を使用してタッチスクリーンと接触してソフトタッチを生成すると、タッチスクリーンとの接触によって小さな音が生成される。更に、ユーザは爪又は骨のある部分（例えば、指節）を使用してタッチスクリーンと接触することによって第２タッチ入力を生成できる。第２タッチ入力は、タッチ入力時に大きな音を発生させる入力であって、ハードタッチと定義する。即ち、ユーザが爪又は骨のある部分（例えば、指節）を使用してタッチスクリーンと接触してハードタッチを生成すると、タッチスクリーンとの接触によってノック音（ｋｎｏｃｋｉｎｇ  ｓｏｕｎｄ）が生成される。このようにユーザは音を発生させることができる身体部位（爪、骨のある部分など）を利用して第２タッチ入力を生成できるが、指をベースとして第２タッチ入力を生成することもできる。一例として、ユーザは指の腹部分を使用してタッチスクリーンに接触して第２タッチ入力を生成できる。更に、電子装置は、第１タッチ入力と第２タッチ入力とを区分できる音に対するしきい値を定義する。本発明の様々な実施形態によると、ユーザがタッチスクリーンと相互作用する方法を認知すると、そのような相互作用を基に追加的な機能を制御する。例えば、タッチ形態を基に生成された音の差を利用して異なる機能を行うようにする。即ち、ユーザは小さな音を発生させる第１入力と大きな音を発生させる第２入力とに対して互いに異なる機能を制御させることができ、電子装置は、第１入力と第２入力を感知して該当入力に対する動作を行う。
【００２９】
電子装置は、同じ位置で第１入力と第２入力とを感知し、１つの位置に対して第１入力に対する動作と第２入力に対する動作とを行う。
【００３０】
本発明の様々な実施形態によると、電子装置は、タッチスクリーンと結合されてタッチスクリーン上の入力（例えば、タッチイベント）特性を検出する複数の音響センサを含む。電子装置は、入力（例えば、タッチイベント）によって発生した音の特性を基に入力形態を判断する。ここで、音の特性は周波数、振幅などを含む。
【００３１】
本発明の様々な実施形態によると、電子装置は、入力によって発生した振動特性を基に入力形態を判断する。
【００３２】
本発明の様々な実施形態によると、電子装置は、入力面積を基に入力形態を判断する。
【００３３】
図１は、本発明の一実施形態による電子装置で入力を感知する動作を示したフローチャートである。
【００３４】
図１を参照すると、電子装置は、ステップＳ１１０のようにタッチスクリーンに対する入力を検出する。タッチスクリーンは入力を感知できる複数のセンサを含む。ここで、センサは、抵抗性感知技術、容量性感知技術、光学画像感知技術、音響パルス認識感知技術のうちの少なくとも１つを使用するセンサを含み得る。
【００３５】
電子装置は、ステップＳ１２０のようにタッチスクリーンに対する入力位置を確認する。ここで、タッチスクリーンに対する入力位置は入力が感知された位置の座標（ｘ軸、ｙ軸座標）として決定される。本実施形態によると、タッチスクリーンの複数のセンサは複数の第１センサ及び複数の第２センサを含む。第１センサはタッチスクリーン上の入力位置を検出し、複数のセンサは入力（例えば、タッチイベント）に関連付けられたデータをタッチスクリーン上の入力位置を決定する制御部に送信する。
【００３６】
電子装置は、ステップＳ１３０のようにタッチスクリーンへの入力に対する入力形態を判断する。例えば、タッチスクリーンへの入力の入力形態は入力の特性を基に判断される。入力特性は入力によって発生した音の特性（例えば、周波数、振幅など）を含み、電子装置は、音の特性の他にも、振動特性、入力面積を基に入力形態を判断できる。
【００３７】
電子装置は入力特性を基に入力がソフトタッチ（第１入力）であるか又はハードタッチ（第２入力）であるかを判断する。電子装置は入力特性を基に入力形態を区分する。
【００３８】
本実施形態によると、電子装置は、複数のセンサから受信されたデータを基に、感知された入力がソフトタッチであるかハードタッチであるかを決定する。例えば、制御部は複数の第２センサによって感知されたデータを基に入力がソフトタッチであるかハードタッチであるかを判断する。
【００３９】
本実施形態によると、制御部によって入力がソフトタッチであると判断された場合、電子装置は、ステップＳ１４０のようにタッチスクリーン上で入力が感知された位置に該当する位置座標でソフトタッチに関連付けられた第１機能を行う。即ち、電子装置は入力（例えば、タッチイベント）の特性に関連付けられた第１機能を行う。ここで、入力の特性は、タッチ入力が感知された位置の座標、ソフトタッチの入力形態で表される。
【００４０】
本実施形態によると、制御部によって入力がハードタッチであると判断された場合、電子装置は、ステップＳ１５０のようにタッチスクリーン上で入力が感知された位置に該当する位置座標でハードタッチに関連付けられた第２機能を行う。即ち、電子装置は入力（例えば、タッチイベント）の特性に関連付けられた第２機能を行う。ここで、入力の特性は、タッチ入力が感知された位置の座標、ハードタッチの入力形態で表される。
【００４１】
電子装置は入力の特性によってタッチ入力の形態を区分する。一実施形態として、電子装置は、タッチ入力によって発生する音の特性を基に第１入力と第２入力とを区分し、タッチ入力の感知時に入力形態を区分した後、入力形態に該当する動作を行う。
【００４２】
図２は、本発明の一実施形態によって入力を感知する電子装置の設定動作を示したフローチャートである。
【００４３】
図２を参照すると、電子装置のユーザは、入力形態を区分し、各形態に対応する機能（例えば、第１機能及び第２機能）を設定する。
【００４４】
電子装置は、ステップＳ２１０のように初期化（ｉｎｉｔｉａｌｉｚｅ）状態を維持する。ここで、初期化状態とは、入力形態に対する機能が設定される前の状態を意味するものであって、工場出荷状態、再起動状態、アイドル状態などを含む。
【００４５】
電子装置は、ステップＳ２２０のようにユーザにタッチスクリーンに対する入力形態に対応する機能を設定させる。即ち、電子装置は、タッチスクリーンに対する入力を少なくとも２種の方式の入力形態に区分し、ユーザにそれぞれの入力形態に対して機能を設定させる。この時、電子装置はタッチスクリーンへの入力に対する入力の特性を基に入力形態を区分する。例えば、電子装置はタッチスクリーンに対する入力によって発生した音の特性（例えば、周波数、振幅など）を基にハードタッチとソフトタッチとに区分する。この時、電子装置は、入力形態に対応する機能を設定するか又は選択される画面を出力することによってその動作を行う。
【００４６】
電子装置は、ステップＳ２３０のようにユーザが入力形態に対応する機能を設定することを希望するか否かを判断する。この時、電子装置は、入力形態に対応する機能を設定するか又は選択される画面を出力し、画面に対するユーザの入力を感知したか否かによって機能設定の有無を判断する。
【００４７】
電子装置は、ステップＳ２４０のようにユーザが入力形態に対応する機能を設定することを希望する場合、機能設定のための入力形態を確認する。例えば、電子装置はユーザに機能設定することを希望する入力選択を選択させる。即ち、入力形態を確認するということは、機能設定のための入力形態をユーザから受信するか、又は機能設定のための入力形態を選択するユーザの入力を感知することである。更に、電子装置は、ユーザに機能設定が適用される状況（ｃｏｎｔｅｘｔ）を選択させるか又は確認させる。例えば、ユーザはロック解除状態にある電子装置に対して入力形態に対する機能を設定するように選択できる。他の例として、ユーザはロック解除状態にある電子装置に対して入力形態に対する機能を設定するように選択できる。更に他の例として、ユーザは特定のアプリケーション又はアプリケーションの形態を動作する状態にある電子装置に対して入力形態に対する機能を設定するように選択できる。即ち、電子装置は予め定義された状況でのみ入力形態に対応する動作を行うようにする。
【００４８】
次に、電子装置は、ステップＳ２５０のように選択された入力形態に対応する機能の選択を受信する。
【００４９】
本実施形態によると、電子装置は、タッチスクリーンに対する特定の入力形態の入力に応じてロックを解除するか、又は電子装置がロック状態にある時にロック解除を初期化するように構成される。更に、電子装置はタッチスクリーンに対する特定の入力形態の入力に応じて電子装置をロックするように構成される。
【００５０】
本実施形態によると、電子装置は特定の入力形態（例えば、ハードタッチ）がタッチスクリーンに入力されると高機能（ａｄｖａｎｃｅｄ  ｆｕｎｃｔｉｏｎｓ）を行うように構成される。例えば、電子装置はハードタッチが感知されるとメニューを表示する。他の例として、電子装置はハードタッチが感知されると、切り取り（ｃｕｔ）動作、コピー動作、貼り付け（ｐａｓｔｅ）動作などのような機能を行う。更に、電子装置はハードタッチが感知されると予め定義されたアプリケーションを実行させることができる。
【００５１】
次に、電子装置は、ステップＳ２６０のようにユーザが入力形態に対応する機能を設定することを希望しない場合、ユーザの入力に対する動作を行う。即ち、電子装置は、ユーザが入力形態に対応する機能を設定することを希望しない場合、機能設定のための動作ではない他の動作を行う。
【００５２】
図３は、本発明の一実施形態による電子装置の構成を示したブロック図である。
【００５３】
図３を参照すると、電子装置３００は、制御部３１０、ストレージ部３２０、タッチスクリーン３３０、第１センサ３４０、第２センサ３５０、及びオーディオ処理部３６０を含み、第１センサ３４０及び第２センサ３５０は複数のセンサで構成される。このような構成を有する電子装置３００は、タッチスクリーン３３０に対する特定の入力形態の入力に対して特定の機能又はアプリケーションを読み込む（ｌｏａｄ）。
【００５４】
本実施形態によると、電子装置３００は、電子装置３００に入力された入力形態に関連付けられた機能を定義するように構成される。ここで、入力形態に関連付けられた機能を定義するということは、入力形態に対応する機能を設定、格納するなどの動作を含む。
【００５５】
電子装置は、特定の入力形態の入力が電子装置３００に入力される状況及び入力形態に関連付けられた機能を定義する。
【００５６】
電子装置３００は、タッチスクリーン３３０を介してユーザと電子装置３００との間の相互作用（ｉｎｔｅｒａｃｔｉｏｎ）を基に構成される。電子装置３００は、特定の入力形態（例えば、ハードタッチイベント又はソフトタッチイベント）がタッチスクリーン３３０を介して入力されると自動的に入力形態に関連付けられた予め定義された機能又はアプリケーションを読み込むように構成される。
【００５７】
以下、電子装置３００の各構成要素（ｃｏｍｐｏｎｅｎｔ）を詳しく説明する。
【００５８】
オーディオ処理部３６０は音響コンポーネントで構成される。オーディオ処理部３６０は、オーディオ信号を送受信し、そのオーディオ信号を符号化及び復号化する。例えば、オーディオ処理部３６０は、コーデック（ＣＯＤＥＣ）及びオーディオ増幅器を含み、マイクロホン（ＭＩＣ）とスピーカ（ＳＰＫ）に連結される。オーディオ処理部３６０は、マイクロホン（ＭＩＣ）を介して入力されたアナログ音声信号をデジタル音声信号に変換し、変換されたデジタル音声信号に対する該当データを生成して制御部３１０に送信する。また、オーディオ処理部３６０は制御部３１０から入力されたデジタル音声信号をアナログ音声信号に変換してスピーカ（ＳＰＫ）を介して出力する。更に、オーディオ処理部３６０は、電子装置３００で生成された様々な音声信号を、スピーカ（ＳＰＫ）を介して出力できる。例えば、オーディオ処理部３６０は、オーディオファイル（例えば、ＭＰ３ファイル）の再生、動画ファイルの再生などによる音声信号を、スピーカを介して出力する。
【００５９】
タッチスクリーン３３０はユーザ入力のための入力キー及び機能キーを表示する。タッチスクリーン３３０は、数字や様々な文字情報セットの入力を受信し、様々な機能を設定して電子装置３００の機能を制御する入力キー及び機能キーを含む。例えば、タッチスクリーン３３０は、音声通話を要求するキー（ｃａｌｌｉｎｇ  ｋｅｙ）、ビデオ通話を要求するキー（ｖｉｄｅｏ  ｃａｌｌ  ｒｅｑｕｅｓｔ  ｋｅｙ）、音声通話又はビデオ通話の終了を要求するキー（ｔｅｒｍｉｎａｔｉｏｎ  ｋｅｙ）、又はオーディオ信号の出力音量を調節するボリュームキー（ｖｏｌｕｍｅ  ｋｅｙ）、方向キー（ｄｉｒｅｃｔｉｏｎ  ｋｅｙ）などを含む。特に、タッチスクリーン３３０は、タッチスクリーン３３０を介して入力された入力の位置及び形態のような入力特性に関連する信号を制御部３１０に送信する。
【００６０】
タッチスクリーン３３０は、電子装置３００の様々なメニューだけでなくユーザに提供される情報又はユーザによって入力された情報を表示する。例えば、タッチスクリーン３３０は、電子装置３００のユーザによってアイドル（ｉｄｌｅ）画面、メッセージ入力画面、呼び出し中の画面などの様々な画面を提供する。例えば、タッチスクリーン３３０は、電子装置３００に入力が入力される状況に基づいて、ユーザが特定の入力形態の機能及び／又は入力機能を設定できるインタフェースを出力する。タッチスクリーン３３０は、液晶ディスプレイ（ＬＣＤ）、有機発光ダイオード（ＯＬＥＤ）、アクティブマトリックスＯＬＥＤ（ＡＭＯＬＥＤ）などで形成され得るが、本発明の実施形態はこれらの例に限定されない。
【００６１】
ストレージ部３２０は、本実施形態による動作機能を行うプログラムのみでなくユーザデータなどを格納する。例えば、ストレージ部３２０は、電子装置３００の一般的な動作を制御するプログラム、電子装置３００をブートするオペレーションシステム（ＯＳ）、及びカメラ機能、サウンド再生機能、画像又はビデオ再生機能、近距離無線通信（ＮＦＣ）機能などのような異なる動作機能を行うアプリケーションプログラムを格納する。また、ストレージ部３２０は、電子装置３００のユーザによって生成されたショートメッセージ、ゲームファイル、音楽ファイル、映画ファイルなどを含むユーザデータを格納する。特に、ストレージ部３２０は、電子装置３００がロック解除状態に移行する時、読み込まれる機能又はアプリケーションとマッピングされた入力又は入力形態を格納したテーブルを格納する。例えば、ストレージ部３２０は、少なくとも１つの入力と電子装置に入力される少なくとも１つの入力によって自動的に読み込まれる予め定義された機能又はアプリケーションに対する連関関係を格納する。例えば、ストレージ部３２０は、入力と予め定義された機能（入力位置座標と入力形態によって特徴づけられる機能）との間の連関関係を格納する。入力は、ｘ軸座標、ｙ軸座標、入力形態のような変数で特徴付けられる。
【００６２】
本実施形態によると、電子装置３００は複数のセンサを含む。複数のセンサは複数の第１センサ３４０及び複数の第２センサ３５０を含む。複数の第１センサ３４０は、タッチスクリーン３３０への入力を感知する。例えば、複数の第１センサ３４０はタッチスクリーン３３０に対する入力位置を感知する。複数の第２センサ３５０は入力の入力形態を確認する。例えば、複数の第２センサ３５０は、入力によって発生した音、入力によって発生した振動、入力の圧力などを感知する。例えば、複数の第２センサ３５０は、複数の音響センサ、複数の圧力センサであり、このようなセンサは電子装置の外部に位置する。他の例として、複数の第２センサ３５０は電子装置の縁部に位置する。
【００６３】
本実施形態によると、電子装置３００は少なくとも１つの制御部３１０を含む。制御部３１０は電子装置３００の一般的な動作を制御する。例えば、制御部３１０は、電子装置３００に含まれる様々な構成要素又はユニットの動作を制御する。制御部３１０は、電子装置３００に含まれる様々な構成要素に信号を送信し、電子装置３００の内部ブロック間の信号の流れを制御する。特に、制御部３１０は、入力を感知した時、タッチスクリーン３３０を介して入力されたその入力（例えば、位置又は入力形態を含む）に関連付けられた所定の機能又はアプリケーションを読み込むように制御する。このために、制御部３１０は、複数の第１センサ３４０及び第２センサ３５０から受信したデータ又は入力を基に入力の位置（例えば、ｘ軸、ｙ軸の位置座標）及び入力形態を判断し、ストレージ部３２０に格納された連関関係又はマッピングを基にその入力の感知時に関連付けられた機能又はアプリケーションを読み込む。
【００６４】
電子装置３００は、第１センサ３４０を含むタッチスクリーン、第２センサ３５０、及び第２センサ３５０によって感知された入力特性を基にタッチスクリーン３３０に対する入力形態を判断するように構成された制御部３１０を含む。
【００６５】
制御部３１０は第２センサ３５０によって検出された入力特性を基に入力形態を判断するが、入力特性は、音、面積、振動のうちの少なくともいずれか１つを含む。
【００６６】
第２センサ３５０は、タッチスクリーンの周りに位置し、入力によって生成された入力特性を検出する。
【００６７】
制御部３１０は、第１入力形態を確認する場合に第１機能を行い、第２入力形態を確認する場合に第２機能を行うように処理する。
【００６８】
第１機能は入力が感知された位置に関連付けられた機能に該当する機能であり、第２機能は高機能に関連付けられた機能に該当する機能を意味し、高機能には、電子装置のロック解除を制御する機能及びメニュー表示機能のうちの少なくともいずれか１つが含まれる。
【００６９】
非限定的な説明として、本明細書で説明した電子装置／装置／ユニットは携帯用電子装置（ｐｏｒｔａｂｌｅ  ｅｌｅｃｔｒｏｎｉｃ  ｄｅｖｉｃｅ）であり、携帯端末（ｐｏｒｔａｂｌｅ  ｔｅｒｍｉｎａｌ）、移動端末（ｍｏｂｉｌｅ  ｔｅｒｍｉｎａｌ）、メディアプレーヤ（ｍｅｄｉａ  ｐｌａｙｅｒ）、タブレットコンピュータ（ｔａｂｌｅｔ  ｃｏｍｐｕｔｅｒ）、ハンドヘルドコンピュータ（ｈａｎｄｈｅｌｄ  ｃｏｍｐｕｔｅｒ）、又はＰＤＡ（Ｐｅｒｓｏｎａｌ  Ｄｉｇｉｔａｌ  Ａｓｓｉｓｔａｎｔ）のような装置である。また、このような装置のうちの２種以上の機能を組み合わせた装置を含む任意の携帯用電子装置である。他の実施形態によると、電子装置はディスプレイと入力手段を含むあらゆる種類の電子装置をも含む。例えば、デスクトップパソコン、冷蔵庫、多機能周辺装置（ｍｕｌｔｉ−ｆｕｎｃｔｉｏｎ  ｐｅｒｉｐｈｅｒａｌ）、ビデオゲームコンソール、デジタルカメラ、モバイルインターネットデバイス（Ｍｏｂｉｌｅ  Ｉｎｔｅｒｎｅｔ  Ｄｅｖｉｃｅ：ＭＩＤ）、ウルトラモバイルＰＣ（Ｕｌｔｒａ  Ｍｏｂｉｌｅ  ＰＣ：ＵＭＰＣ）、ナビゲーション、スマートＴＶ、デジタル時計、及びＭＰ３プレーヤなどを含む。更に、電子装置は無線通信が可能な又は本明細書に開示したものと一致するネットワーク通信可能な装置を示す。
【００７０】
本発明の様々な実施形態による電子装置に対する入力を感知する方法は、様々なコンピュータ手段によって実行可能なプログラム命令の形態で具現され、非一時的なコンピュータ読み取り可能な記録媒体に記録され得る。コンピュータ読み取り可能な記録媒体は、プログラム命令、データファイル及びデータ構造のそれぞれ又はその組み合わせを含み得る。記録媒体に記録されるプログラム命令は本発明の様々な実施形態のために特別に設計されるか又は構成され得、或いはコンピュータソフトウェア分野の当業者に知られているものであり得る。
【００７１】
コンピュータ読み取り可能な記録媒体は、ハードディスク、フロッピー（登録商標）ディスク又は磁気テープのような磁気媒体、ＣＤ−ＲＯＭ又はＤＶＤのような光媒体、フロプティカル（ｆｌｏｐｔｉｃａｌ）ディスクのような磁気・光媒体、プログラム命令を格納及び実行するためのＲＯＭ、ＲＡＭ、フラッシュメモリなどのようなハードウェア装置などを含む。また、プログラム命令はコンパイラによって生成された機械語コード及び翻訳機を使用してコンピュータによって実行される高級言語コードを含む。上述したハードウェア装置は少なくとも１つのソフトウェアモジュールで作動するように構成されて本発明の様々な実施形態の動作を行うことができる。
【００７２】
上述のように、本発明の様々な実施形態は、タッチスクリーンに対するタッチに関連付けられた位置座標データを入力（例えば、タッチイベント）形態に関連付けられたデータと結合してタッチスクリーン機能を向上させる。即ち、本発明の様々な実施形態は、ハードタッチ入力とソフトタッチ入力とを判断するか又は区別する。本発明の様々な実施形態によると、電子装置は入力形態によって異なる動作又は機能を関連付ける。本発明の様々な実施形態によると、電子装置は位置座標と入力を使用して読み込む機能を確認する。
【００７３】
本発明によると、タッチスクリーンへの入力（タッチ入力）を感知し、タッチスクリーンへの入力形態を決定し、異なる形態の入力を区別できる。
【００７４】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００７５】
３００    電子装置
３１０    制御部
３２０    ストレージ部
３３０    タッチスクリーン
３４０    第１センサ
３５０    第２センサ
３６０    オーディオ処理部
【図１】
2014016989.tif 000003
【図２】
2014016989.tif 000004
【図３】
2014016989.tif 000005